(57)【要約】      （修正有）【課題】容器内部に空気層を生じさせることなく、空気層によって生じる水生生物への損傷を防止する水生生物用容器を、提供する。【解決手段】水生生物用容器１は、水と水生生物を収容可能な容器本体部２と、前記容器本体部２の開口部を開閉可能な蓋３と、前記容器本体部２内部の空気を吸引できる吸引口４と、前記容器本体部２へ酸素を含む気体を含有した供給水を供給する供給口５と、を備え、前記蓋３は、前記容器本体２内部の容積を超える余分水を外部に漏出させる。【選択図】図１
2019140926.tif 000002
【特許請求の範囲】
【請求項１】
水と水生生物を収容可能な容器本体部と、
前記容器本体部の開口部を開閉可能な蓋と、
前記容器本体部内部の空気を吸引できる吸引口と、
前記容器本体部へ酸素を含む気体を含有した供給水を供給する供給口と、を備え、
前記蓋は、前記容器本体内部の容積を超える余分水を外部に漏出させる、水生生物用容器。
【請求項２】
前記蓋が閉じられて、前記吸引口から前記容器本体部内部の空気が吸引されることで、前記容器本体部と前記蓋とが密閉状態となる、請求項１記載の水生生物用容器。
【請求項３】
前記水生生物は、イカ類を始めとする魚介類を含む、請求項１または２記載の水生生物用容器。
【請求項４】
前記蓋は、密閉を向上させる第１シーリングと第２シーリングを備え、
前記第１シーリングは、前記容器本体部内部の水を密閉し、
前記第２シーリングは、前記容器本体部と外部との接触部位を密閉する、請求項１から３のいずれか記載の水生生物用容器。
【請求項５】
前記蓋は、前記容器本体部の上部に備わり、
前記蓋は、前記容器本体部の上部からあふれる態様で、前記余分水を外部に漏出させる、請求項１から４のいずれか記載の水生生物用容器。
【請求項６】
前記蓋から漏出される余分水は、前記前記容器本体部内部の気泡を合わせて外部に排出し、
前記容器本体部内部に空気層の形成を防止できる、請求項１から５のいずれか記載の水生生物用容器。
【請求項７】
前記蓋から前記供給口までは、閉循環路が形成される、請求項１から６のいずれか記載の水生生物用容器。
【請求項８】
前記吸引口を介して、前記容器本体部内部の空気を吸引する吸引装置を更に備え、
前記吸引装置は、前記容器本体部内部の圧力測定結果に基づいて、吸引の動作と停止を切り替える、請求項１から７のいずれか記載の水生生物用容器。
【請求項９】
前記供給水は、空気もしくは酸素を水に溶解させた気液混合水である、請求項１から８のいずれか記載の水生生物用容器。
【請求項１０】
前記供給口は、前記容器本体部の側面もしくは底面に備わる、請求項１から９のいずれか記載の水生生物用容器。
【請求項１１】
前記供給口から供給される前記供給水は、前記容器本体部の水層に、前記水生生物の生活様式に適した水流を形成可能である、請求項１から１０のいずれか記載の水生生物用容器。
【請求項１２】
前記蓋の内部に、前記水生生物からの排出物を捕獲できるフィルターを備える、請求項１から１１のいずれか記載の水生生物用容器。
【請求項１３】
前記水生生物用容器は、輸送機器によって輸送可能である、請求項１から１２のいずれか記載の水生生物用容器。
【発明の詳細な説明】
【技術分野】
【０００１】
本発明は、水生生物の健康状態を維持しつつ、一定時間の保管あるいは輸送可能な水生生物用容器に関する。
【背景技術】
【０００２】
様々な種類の水生生物を、一定時間において保管し輸送することが求められるようになってきている。例えば、食用に供される水生生物（食用の魚類や魚介類など）を、漁獲地あるいは集積地から、消費地に輸送することが求められるようになっている。例えば、ある種類の魚介類が水揚げされる漁獲地と、この魚介類が消費される消費地とは、遠隔であることが多い。
【０００３】
例えば、イカは九州や北海道で漁獲されることが多いが、最大の消費地は関東、近畿、中部の三大都市圏である。すなわち、漁獲地と消費地とが遠隔であることが多い。イカに限らず、他の魚介類も、漁獲地と消費地とが遠隔になっていることが多い。もちろん、消費地の近隣でも水揚げされることがあるが、量の不足、品質の不足などの問題があり、消費地の多くでは、より品質の高い魚介類を食したいとの高い要望をもっている。
【０００４】
これは、消費地での飲食店に限らず、流通業者も同じである。
【０００５】
このとき、魚介類については、より品質の高い旬の漁獲地で水揚げされたものを、より新鮮な状態で食用としたいとの欲求もある。生食の要望に加えて、加工や調理の場合でも、新鮮な状態の魚介類を使用したいとの欲求があるからである。
【０００６】
このような場合には、魚介類を始めとした水生生物を新鮮な状態を維持したまま輸送する必要が生じている。
【０００７】
あるいは、食用とするわけではなく、例えば観賞用（一般消費者や水族館など）のための水生生物を、その健康状態を維持したまま輸送する必要も生じている。
【０００８】
また、食用や観賞用として一定期間において水生生物を保管することも求められている。食用や観賞用として、必要となる期間の飼育においては、専用の生簀、水槽、水族館などの施設で行われればよい。しかしながら、これらの専用施設に移設されるまでの一定期間において、保管を必要とすることがある。
【０００９】
このように、食用の魚介類を始めとした種々の水生生物の一定時間の保管や輸送をすることが求められている。このとき、食用や観賞用のいずれの場合であっても、水生生物の健康状態（新鮮な状態）を維持して、保管や輸送を行うことが求められている。
【００１０】
特に、輸送においては、トラックや列車などの輸送機器で輸送される必要がある。この輸送においては、種々の状況が発生し、輸送される水生生物の健康状態を維持することが難しいことが多い。例えば、魚介類であれば、魚介類が必要とする酸素量の維持、魚介類からの排泄物や老廃物の処理、水質の維持などが必要条件となるからである。また、輸送におけるストレスが水生生物に加わる問題もある。
【００１１】
また、輸送においては、水生生物を収容している水槽に振動が加わり、この振動が水生生物へのストレスとなってしまう。このストレスにより、水生生物の健康状態が損なわれたりする問題がある。
【００１２】
もちろん、一定時間の保管においても、酸素量（水中の溶存酸素）の維持、水生生物の排泄物や老廃物の除去、水質の維持などの必要性がある。これらの維持ができなければ、一定時間の保管であっても、水生生物の健康状態が損なわれるからである。
【００１３】
水揚げされる漁獲地から消費地への新鮮な状態を維持した魚介類の輸送が求められる時代においては、これらの問題に対応する必要がある。あるいは、漁獲地や消費地あるいは中継地において、一定時間の保管が求められる時代においては、これらの問題に対応する必要がある。あるいは、水族館や民生用での鑑賞用のために、輸送や一定時間の保管が求められる時代においても、水生生物の健康状態を維持することが求められている。
【００１４】
このような状況において、水揚げされた魚介類を生きた状態で輸送する技術が提案されている（例えば、特許文献１、特許文献２、特許文献３参照）。
【先行技術文献】
【特許文献】
【００１５】
【特許文献１】特開平５−９１８２８号公報
【特許文献２】特開２００３−１２５６７１号公報
【特許文献３】特開２００７−１２９９５６号公報
【発明の概要】
【発明が解決しようとする課題】
【００１６】
特許文献１は、生きイカを、自然環境における酸素供給状態、雰囲気温度、雰囲気圧力下で、個々に相互干渉のない状態で収納することにより、生きイカを安息状態で輸送することを可能とし、もって多数の生きイカを生きの良い状態で輸送することを可能とした。生きイカの収納雰囲気条件に、遮光、海水の新鮮な海水との交換を加えることにより、生きイカの生きの良い状態を保っての輸送を、より安全にかつ確実に達成できるようにした活きイカ輸送方法を開示する。
【００１７】
特許文献１は、輸送中に容器の海水を入れ替えることで、イカの鮮度を保つことの技術を提案している。
【００１８】
しかしながら、輸送中に容器の海水を入れ替えることは、非常に手間とコストが掛かる。輸送中のいくつかの地点において、海水を得て入れ替える作業が必要となるからである。このような作業場所を確保することは困難であり、輸送時間と輸送コストが増加して、消費地における活きイカの価格が高騰することになってしまう。すなわち、現実的には採用できない問題がある。
【００１９】
また、海水を入れ替えることで、海水の鮮度を保つことができるが、水揚げ地と異なる地域の海水になってしまうと、魚介類の種類によっては、鮮度や健康状態を保つことができない問題もありえる。
【００２０】
特許文献２は、容器本体１０にポンプ収容室１３を形成する。ポンプ収容室１３を区画する側壁１２の上端面と蓋５０の裏面との間に、ポンプ収容室に収容されたエアポンプ７１と水槽１１内に設置されたエア分散機７２とをつなぐエアホース７３を気密的に嵌め込むことのできる開口１７を形成する活魚輸送方法を開示する。
【００２１】
しかしながら、特許文献２の技術では、輸送できる魚介類の個体数が少なくなってしまう問題がある。このため、輸送コストと輸送できる量とのバランスが悪くなり、輸送コストが高くなりすぎてしまう問題がある。
【００２２】
特許文献３は、魚類Ｍが収容されたゲ−ジ形生け簀構体３を、輸送船や輸送車等の輸送手段１に設けられた水槽１４、１５内の水中に浸漬するとともに、フロート手段４により水中内に浮遊させた状態で輸送することを特徴とする魚類輸送方法を、開示する。
【００２３】
しかしながら、特許文献３は、フローとさせている網が輸送中に振動して、この網に衝突することで魚介類の身体が傷んでしまう問題を有している。魚介類の種類によっては、身体表面が傷んでしまうことで、健康や鮮度が大きく損なわれてしまうものもある。あるいは、食用や観賞用においては、その価格価値が大きく減少してしまう問題にもつながる。
【００２４】
また、特許文献１〜３のいずれも、水槽内に海水と魚介類を収容しているが、収容の密閉度や収容する内容物への言及や開示がない。特許文献１〜３の開示から実現される水槽では、内部に空気層が生じてしまう。空気槽が生じると、海水と空気槽との境界である水面が生じてしまう。輸送中においては、この水面が揺れてしまい、海水（水）の内部が揺れてしまうことになる。
【００２５】
水中が揺れてしまうと、水中にいる魚介類が相互に衝突したり内部壁面に衝突したりといったことが生じる。この結果、魚介類が傷んでしまい、健康や鮮度、あるいは見た目が大きく損傷してしまう問題を有している。なお、この水の揺れをスロッシングと呼ぶことがある。
【００２６】
更に、特許文献１〜３のいずれにおいても、水中内の水生生物に酸素を供給する機構を備えている。水生生物が水中に溶け込んだ溶存酸素を必要とするからである。輸送中あるいは保管中において、酸素（空気）を供給し続ける必要がある。特許文献１〜３のいずれも、この水中に供給する空気によって、水槽内に空気層を生じさせてしまう。
【００２７】
水槽内に空気層が生じると、上述したように水面が揺れて水中も振動してしまう。この振動によって、魚介類に物理的な衝突が加わり、鮮度、健康、外観が損なわれる問題が生じてしまう。また、水中に浮遊していたり水中で回遊していたりする魚介類に対しては、この振動が大きなストレスになる。適切な浮遊や回遊が困難となり得るからである。
【００２８】
ここで、鮮度や健康とは、水生生物を食用とする場合に、生食なども含めた食用に適した状態であることであり、水生生物を観賞用や飼育用とする場合に、これに適した状態であることである。
【００２９】
このように、従来技術では、水槽内において空気層が生じてしまい、これに基づいて水生生物の健康、鮮度、外観を損なう問題があった。
【００３０】
本発明は、上記課題に鑑み、容器内部に空気層を生じさせることなく、空気層によって生じる水生生物への損傷を防止する水生生物用容器を、提供することを目的とする。
【課題を解決するための手段】
【００３１】
上記課題に鑑み、本発明の水生生物用容器は、水と水生生物を収容可能な容器本体部と、
容器本体部の開口部を開閉可能な蓋と、
容器本体部内部の空気を吸引できる吸引口と、
容器本体部へ酸素を含む気体を含有した供給水を供給する供給口と、を備え、
蓋は、容器本体内部の容積を超える余分水を外部に漏出させる。
【発明の効果】
【００３２】
本発明の水生生物用容器は、容器内部に空気層を生じさせず、輸送中であっても水面や水中が振動することを防止できる。結果として、水面や水中の振動による、水生生物の衝突やストレスを軽減でき、水生生物の健康、鮮度、外観を維持させることができる。
【００３３】
また、酸素を含む水を供給する際に生じる気泡や空気層も外部に排出する構成により、空気層を形成させない。
【００３４】
更に、密閉度を高める構成により、内部に空気層を生じさせず、水面の揺れによる水中の振動を防止でき、輸送中であっても、水生生物の健康、鮮度、外観を維持することができる。
【図面の簡単な説明】
【００３５】
【図１】本発明の実施の形態１における水生生物用容器の斜視図である。
【図２】本発明の実施の形態１における水生生物用容器の斜視図である。
【図３】本発明の実施の形態１における測定部を備えた水生生物用容器の模式図である。
【図４】本発明の実施の形態１における水生生物用容器の斜視図である。
【図５】本発明の実施の形態２における蓋の裏面図である。
【図６】蓋の写真である。
【図７】本発明の実施の形態３における輸送状態にある水生生物用容器の模式図である。
【発明を実施するための形態】
【００３６】
本発明の第１の発明に係る水生生物用容器は、水と水生生物を収容可能な容器本体部と、
容器本体部の開口部を開閉可能な蓋と、
容器本体部内部の空気を吸引できる吸引口と、
容器本体部へ酸素を含む気体を含有した供給水を供給する供給口と、を備え、
蓋は、容器本体内部の容積を超える余分水を外部に漏出させる。
【００３７】
この構成により、容器本体部と蓋とで形成される内部空間（容器本体部の内部空間）には、常に水が充填された状態が実現される。結果として、内部空間に空気層が生じず、空気層による水面や水の揺れを抑制できる。
【００３８】
本発明の第２の発明に係る水生生物用容器では、第１の発明に加えて、蓋が閉じられて、吸引口から容器本体部内部の空気が吸引されることで、容器本体部と蓋とが密閉状態となる。
【００３９】
この構成により、内部空間に水が充填された状態をより確実に実現できる。また、蓋が外れたりすることも防止できる。
【００４０】
本発明の第３の発明に係る水生生物用容器では、第１または第２の発明に加えて、水生生物は、イカ類を始めとする魚介類を含む。
【００４１】
この構成により、食用となる魚介類や観賞用となる魚介類などにも適用できる。
【００４２】
本発明の第４の発明に係る水生生物用容器では、第１から第３のいずれかの発明に加えて、蓋は、密閉を向上させる第１シーリングと第２シーリングを備え、
第１シーリングは、容器本体部内部の水を密閉し、
第２シーリングは、容器本体部と外部との接触部位を密閉する。
【００４３】
この構成により、蓋と容器本体部との密閉度を確実にすることができる。
【００４４】
本発明の第５の発明に係る水生生物用容器では、第１から第４のいずれかの発明に加えて、蓋は、容器本体部の上部に備わり、
蓋は、容器本体部の上部からあふれる態様で、余分水を外部に漏出させる。
【００４５】
この構成により、複雑な構造などを必要とせずに、物理的に自然に余分水を漏出させることができる。
【００４６】
本発明の第６の発明に係る水生生物用容器では、第１から第５のいずれかの発明に加えて、蓋から漏出される余分水は、容器本体部内部の気泡を合わせて外部に排出し、容器本体部内部に空気層の形成を防止できる。
【００４７】
この構成により、空気層が形成されずに、水面や水の揺れを防止できる。結果として、収容されている水生生物の衝突やストレスを低減できる。
【００４８】
本発明の第７の発明に係る水生生物用容器では、第１から第６のいずれかの発明に加えて、蓋から供給口までは、閉循環路が形成される。
【００４９】
この構成により、余分水と供給水とを再利用できる。
【００５０】
本発明の第８の発明に係る水生生物用容器では、第１から第７のいずれかの発明に加えて、吸引口を介して、容器本体部内部の空気を吸引する吸引装置を更に備え、吸引装置は、容器本体部内部の圧力測定結果に基づいて、吸引の動作と停止を切り替える。
【００５１】
この構成により、内部の密閉が維持できる。また、輸送中などで状態変化しやすい場合でも、密閉を維持できる。
【００５２】
本発明の第９の発明に係る水生生物用容器では、第１から第８のいずれかの発明に加えて、供給水は、空気もしくは酸素を水に溶解させた気液混合水である。
【００５３】
この構成により、水生生物にとって好適である。また、空気層の原因となる気泡の供給を抑えることもできる。
【００５４】
本発明の第１０の発明に係る水生生物用容器では、第１から第９のいずれかの発明に加えて、供給口は、容器本体部の側面もしくは底面に備わる。
【００５５】
この構成により、容器本体部内部で古くなった水を余分水として漏出させやすい。また、内部に水流を生み出すこともできる。
【００５６】
本発明の第１１の発明に係る水生生物用容器では、第１から第１０のいずれかの発明に加えて、供給口から供給される供給水は、容器本体部の水層に、水生生物の生活様式に適した水流を形成可能である。
【００５７】
この構成により、水生生物の保管期間を延ばすことができる。
【００５８】
本発明の第１２の発明に係る水生生物用容器では、第１から第１１のいずれかの発明に加えて、蓋の内部に、水生生物からの排出物を捕獲できるフィルターを備える。
【００５９】
この構成により、水をきれいに保つことができる。
【００６０】
本発明の第１３の発明に係る水生生物用容器では、第１から第１２のいずれかの発明に加えて、水生生物用容器は、輸送機器によって輸送可能である。
【００６１】
この構成により、水生生物の健康状態や新鮮さを維持させたまま、遠隔地に輸送することができる。
【００６２】
以下、図面を参照しながら、本発明の実施の形態を説明する。
【００６３】
（全体概要）
（水生生物の保管と輸送）
本発明の水生生物用容器は、水生生物を収容して保管する、あるいは輸送する際に使用される。水生生物とは、魚介類、両生類など水中で生活を行う生物である。この魚介類としては、食用のもの、観賞用のものが含まれる。前者としては、漁獲地域で漁獲された食用の魚介類が含まれる。後者としては、個人宅で観賞される熱帯魚や、水族館で展示される魚介類が含まれる。
【００６４】
もちろん、上述の通り両生類のように水中生活を行う生物も対象となり得る。このとき、小型の水生生物から大型の水生生物も含まれる。
【００６５】
また、食用として使用される魚介類は、加工用として使用されることもあり、生食用として使用されることもある。これらのいずれの場合の水生生物も、本発明の対象である。
【００６６】
ここでの保管とは、一時的な保管や一定期間以上の期間での保管のいずれもありえる。例えば、水生生物が漁獲地域で漁獲された後で、当該漁獲地域において、一時的に保管される場合がある。あるいは、漁獲地域から輸送された後で、別の場所で保管される場合がある。すなわち、保管においても、輸送においても、本発明の水生生物用容器は使用される。
【００６７】
また、輸送とは、漁獲地域で漁獲された魚介類が、別の場所に輸送される場合である。例えば、漁獲地域から消費地域へ魚介類が輸送される場合がある。あるいは、消費地域の集積所から、個別の飲食店や販売店に輸送される場合がある。
【００６８】
このような水生生物の保管や輸送などにおいて、本発明の水生生物用容器が使用される。一般的に食用されるサバや鯛などの食用の魚介類が、輸送や保管などされるに際して、この水生生物用容器が使用される。
【００６９】
一例として、近年、イカの活き作りが食される機会が多くなってきている。また、これを好む消費者も多くなってきている。イカを活き作りとして食するには、新鮮で生きた状態のイカを必要とする。しかしながら、イカの漁獲地と、活き作りで食したい消費者の多い地域とは、遠隔であることが多い。
【００７０】
このため、イカの活き作りを提供するためには、漁獲地から消費地への輸送が必要となる。従来技術で説明したように、従来の容器では、イカを収容した容器で輸送する際には、イカが容器内部の内壁に衝突してしまったり、イカ同士がぶつかったりして、身体が傷ついたり、場合によっては死んでしまったりしていた。これを防止するために、一度に輸送できるイカの数を減らすと、イカの輸送コストが高くなってしまい、経済的に適していない状況も起こっていた。
【００７１】
本発明の水生生物用容器は、このような問題を解決するために、発明された。
【００７２】
（全体概要）
図１を用いて全体概要を説明する。図１は、本発明の実施の形態１における水生生物用容器の斜視図である。水生生物用容器１の内部が透視できる状態で、示されている。
【００７３】
水生生物用容器１は、容器本体部２、蓋３、吸引口４、供給口５と、を備える。また、蓋３は、排出口６を有する。
【００７４】
容器本体部２は、水と水生生物を収容可能である。ここで、水とは、水生生物が生活できる水であり、水生生物の種類や特性に合わせて、淡水や海水である。あるいは、特定の組成に調整された水である。図１においては、水生生物としてイカ１０が収容されている状態が示されている。このため、イカ１０が生活できる海水が、容器本体部２に収容される。すなわち、図１では、容器本体部２は、海水とイカ１０を収容している。
【００７５】
もちろん、必要に応じてその他の水生生物とこれに合った水が収容されればよい。すなわち、水生生物は、イカ類を始めとする魚介類を含んでいる。
【００７６】
ここで、容器本体部２は、開口部を有している。図１の水生生物用容器１では、容器本体部２は、上方に開口部を有している。この開口部から、水と水生生物が投入される。また、開口部は、容器本体部２の全体に渡っていても、一部であってもよい。
【００７７】
蓋３は、容器本体部２の開口部を開閉可能である。図１では、容器本体部２の開口部が上方にあるので、この上方の開口部を塞ぐような位置関係で、蓋３が設けられる。蓋３は、上下方向あるいは水平方向などに動作が可能であり、この動作によって、開口部を開閉する。
【００７８】
吸引口４は、容器本体部２内部の空気を吸引できる。容器本体部２に蓋３が嵌められると、容器本体部２の一部、蓋３の内部、容器本体部２と蓋３との間に空間が生じうる。吸引口４は、取り外すこともできる吸引装置７と接続されている。この吸引装置７による吸引動作を受けて、吸引口４は、上述した空間に存在する空気を吸引できる。
【００７９】
蓋３が容器本体部２に閉じられてから、吸引口３は、空気を吸引する。この吸引口３からの吸引によって、容器本体部２と蓋３とが密閉状態となる。密閉状態となることで、後述するように、容器本体部２に水が充填される状態となる。
【００８０】
吸引装置７は、常時備わっており、容器本体部２内部の状態に応じて吸引動作を行ってもよいし、必要な時だけ取り付けられることでもよい。
【００８１】
供給口５は、容器本体部２へ、酸素を含む気体を含有した供給水を供給する。容器本体部２は、水と水生生物を収容する。この収容状態で、水生生物用容器１は、水生生物を保管したり輸送したりする。図１では、イカ１０が収容されている。
【００８２】
この収容している水生生物の生活を持続させるために、酸素を含有する供給水が供給される必要がある。この供給水を、供給口５が供給する。容器本体部２に水生生物が収容されている限りは、酸素を含んだ供給水の供給が持続される必要がある。供給口５がこれを行うことで、保管や輸送の間において、容器本体部２に収容されている水生生物が生活を維持できる。
【００８３】
蓋３は、容器本体部２内部の容積を超える余分水を、外部に漏出させる。例えば、図１では、蓋３に排出口６が設けられている。この排出口６が、余分水を外部に溢れさせることで、漏出させる。
【００８４】
上述したように容器本体部２に蓋３が閉じられる。閉じられた後で、吸引口４から内部の空気が吸引される。これにより密閉状態の内部空間（蓋３と容器本体部２とで囲まれて形成される内部空間）が形成される。容器本体部２には水と水生成部が収容されており、供給口５から供給水が供給され続ける。この状態によって、蓋３と容器本体部２とで囲まれて形成される内部空間（結果として、容器本体部２の内部空間と近似していることが多い）には、水が満々に充填された状態が実現される。
【００８５】
この充填状態が継続されながらも、供給口５からは供給水が供給され続ける。この結果、内部空間の容積を超える水である余分水が発生する。蓋３の排出口６は、この余分水をあふれさせる。図１のように、蓋３が容器本体部２の上方に設けられている場合には、内部空間の容積を超える水である余分水は、上方に上がってくる。上方に設けられている排出口６（開口領域を有する）は、この上方に上がってくる余分水を、そのままあふれさせる。
【００８６】
このあふれさせる状態によって、排出口６（蓋３）は、余分水を外部に漏出できる。
【００８７】
蓋３の排出口６から余分水が漏出されることで、蓋３が閉じられて形成される容器本体部２と蓋３との内部空間には、常に水が充填された状態が維持される。水が充填された状態が維持されることで、内部空間（容器本体部２の内部空間と把握されてもよいし、蓋３と容器本体部３とで形成される内部空間として把握されてもよい。蓋３と容器本体部２との形状によって定まる。いずれにしても、蓋３が閉じられて容器本体部２と共に形成されて、水が充填可能な空間として把握されればよい）には、空気層が形成されにくくなる。
【００８８】
この空気層が形成されることが抑制された内部空間の水中で、水生生物は生活できる。空気層が無ければ、水面が揺れたり、水中そのものが揺れたりすることが抑えられる。この抑制によって、保管中はいうに及ばず、輸送中であっても水の揺れが無いことで、水生生物が内壁に衝突したり、お互いに衝突したりして傷つくことが軽減できる。もちろん、ストレスも低減できる。
【００８９】
供給口５は、酸素を含有する供給水を供給する。基本的には、連続的あるいは断続的に供給口５は、供給水を供給し続ける。この供給水の供給に伴って、気体成分も容器本体部２に供給される。図１では、気体成分５１が供給されている状態が示されている。
【００９０】
酸素は、供給水に溶存されているが、どうしても気体成分５１が発生して、これが容器本体部２に供給されることは回避できないことが多い。この気体成分５１が、内部空間の空気層を形成することになる。
【００９１】
このとき、供給水が継続的に供給されると共に、余分水が排出口６から排出される構成であることで、内部空間は常に水で充填される状態が維持される。気体成分５１は、余分水と共に排出口６から外部に漏出されるからである。気泡などの気体成分５１は、余分水があふれる状態によって、常に外部に排出される。
【００９２】
すなわち、余分水は、気体成分５１を合わせて外部に排出できる。この結果、内部空間に空気層が形成されるのを防止できる。空気層の原因となる気体成分５１は、余分水と合わせて常に排出されるからである。
【００９３】
言い換えれば、余分水が生じるということは、内部空間に空気層ができない状態であり、この余分水が発生すれば常に、この余分水が漏出される構成であるので、内部空間に水が充填された状態が維持される。結果として、空気層が形成されることが抑制される。
【００９４】
図１では、イカ１０が収容されている。空気層が形成されないことで、例えば水生生物用容器１が輸送に用いられる場合でも、水面や水が揺れることが抑えられる。この揺れが抑えられることにより、イカ１０は、お互いに衝突したり、内壁に衝突したりすることが少なくなる。また、揺れによるストレスも感じにくくなる。
【００９５】
これらの結果、イカ１０を保管したり輸送したりする際に、イカ１０の新鮮さや健康状態を維持でき、活き作りなどの食用にも適した状態を提供できる。
【００９６】
次に各部の詳細やバリエーションについて説明する。
【００９７】
（蓋の位置）
蓋３は、容器本体部２に対していずれの位置に設けられてもよいが、容器本体部２の上方に備わることが好適である。図１、図２は、蓋３が容器本体部２の上方に備わっている状態を示している。図２は、本発明の実施の形態１における水生生物用容器の斜視図である。
【００９８】
蓋３が容器本体部２の上部に備わることで、供給水の供給によって、余分水が生じると、上方に向かって生じる余分水が蓋３から外部に漏出される。図２では、供給口５から水が上方に移動しつつ、最後には余分水が蓋３からあふれる状態を示している。図２の矢印は、この水の移動経路を示している。矢印のように供給水が移動していきつつ、最後には余分水として、蓋３から外部に漏出する。
【００９９】
ここで、供給口５が容器本体部２の側面もしくは底面、あるいは側面でも下方に備わっており、蓋３が上方に備わっていることも好適である。この場合には、供給水が下方から次第に上昇しながら余分水となって、外部に漏出するからである。
【０１００】
次第に移動して漏出することで、古い水が外部に漏出して水の入れ替え効果も生じるからである。また、容器本体部２の内部での水の循環や水流が生まれやすくなり、イカ１０などの水生生物の回遊を補助できて、イカ１０などの水生生物を疲れさせにくくできるメリットもある。
【０１０１】
また、下方から上方への移動によって、余分水の漏出がより確実に行われると共に、余分水以上の水を漏出させる問題も生じにくい。結果として、内部空間に空気層を生じさせずに、水を充填させた状態を維持できる。
【０１０２】
（吸引装置）
図１、図２に示されるように、吸引口４を介して内部空間の空気を吸引する吸引装置７が更に備わることも好適である。吸引装置７は、内部空間の空気を吸引することで、蓋３と容器本体部２との密閉状態を創り上げる。密閉状態であることで、水生生物用容器１は、内部に収容する水や水生生物を不要にこぼすことが無くなる。
【０１０３】
あるいは、密閉状態となることで、余分水があふれることによる空気層の形成帽子を更に確実にできる。密閉状態である内部空間に、水が充填されて余分水が気体成分１と共に漏出されることで、常に水が充填した状態となるからである。この結果、空気層ができにくい。
【０１０４】
また、図３のように内部空間（上述の通りの容器本体部２内部を含む内部空間）の圧力を測定する測定部８が更に備わってもよい。測定部８は、内部空間の圧力を測定して、測定結果を、吸引装置に出力する。内部空間の圧力によって、その密閉状態を計算できるからである。図３は、本発明の実施の形態１における測定部を備えた水生生物用容器の模式図である。
【０１０５】
吸引装置７は、測定部８の圧力測定結果に基づいて、吸引の動作と停止を切り替えることができる。あるいは、吸引動作のレベルを変化させることができる。これらの切り替えや変化によって、内部空間の圧力、すなわち密閉度を最適に維持することができる。
【０１０６】
なお、吸引装置７および測定部８が水生生物用容器１に常時備わっている場合には、測定部８が内部空間の圧力を常時あるいは断続的に測定し、吸引装置７が、連続的にあるいは断続的に吸引動作を行ってもよい。この結果、保管中あるいは輸送中において、内部空間の圧力と密閉度が最適に維持される。
【０１０７】
この最適な維持により、空気層の形成されることの抑制が、維持される。
【０１０８】
（供給口）
供給口５は、上述したように、酸素を含有する供給水を、容器本体部２に供給する。この供給水は、空気もしくは酸素を水に溶存（溶融）させた気液混合水である。空気であっても酸素であっても、最終的に酸素を含有する状態の気液混合水となればよい。
【０１０９】
このように酸素を含有する気液混合水が、供給水として供給される。供給によって、水生生物に必要な酸素が供給される。供給口５は、連続的に供給水を供給してもよいし、断続的に供給水を供給してもよい。
【０１１０】
また、供給口５は、供給水の量を調整しながら供給してもよい。このとき、図４のように排出口６の余分水の排出量の測定結果に基づいて、供給水の供給量を調整すればよい。
【０１１１】
図４は、本発明の実施の形態１における水生生物用容器の斜視図である。漏出測定部９が、排出口６からの余分水の漏出を測定する。例えば、単位時間当たりの漏出量を測定すればよい。測定結果を、供給口５に通知する。供給口５は、この測定結果に基づいて、供給水の供給量を調整すればよい。このようにして、空気層を形成せずに、最適な供給水の供給が実現できる。
【０１１２】
また、供給口５は、容器本体部２の側面もしくは底面に設けられることが好ましい。図２を用いて説明したように、余分水の漏出は、内部空間の容積を超える水に対して生じることが好適である。物理的かつ自然に余分水が漏出するには、排出口６を備える蓋２が、上部にあることが好ましい。自然に余分水があふれ出るからである。
【０１１３】
この対応関係から、供給口５は、容器本体部２の側面もしくは底面であることも好適である。
【０１１４】
側面もしくは底面に設けられることで、供給口５から供給される供給水が、容器本体部２の内部において、水流を作ることが可能となるからである。このとき、容器本体部２の内部に収容されている水生生物に適した水流が形成可能である。
【０１１５】
例えば、図２のようにイカ１０であれば、容器本体部２の内部で回遊しやすい水流が作られる。供給口５が側面もしくは底面にあって供給水が供給されると、このような回遊に適した水流が作られる。
【０１１６】
このような水流によって、保管される水生生物の健康状態が維持される。例えば、食用であれば、食用に適した新鮮さが維持され、観賞用であれば、生物学的な健康状態が維持される。
【０１１７】
以上のように、実施の形態１における水生生物用容器１は、内部に空気層を形成することを抑制でき、保管や輸送する水生生物の健康や外観などの維持を実現できる。図１などに示されるイカ１０の場合には、活き作りのために、漁獲地から遠く離れた消費地に最適に輸送することもできる。
【０１１８】
（実施の形態２）
【０１１９】
次に、実施の形態２について説明する。実施の形態２では、蓋３における他の工夫について説明する。
【０１２０】
（蓋のフィルター）
蓋３は、その内部に水生生物からの排出物を捕獲できるフィルターを備えることも好適である。図５は、本発明の実施の形態２における蓋の裏面図である。蓋３の裏面（内側）を示した模式図である。蓋３は、フィルター３１を備えることも好適である。
【０１２１】
蓋３は、排出口６を介して、余分水を排出できる。もちろん、排出口６以外を用いて余分水を排出してもよい。このとき、排出口６から排出される余分水は、廃棄されたり、浄化されて再利用されたりする。このため、排出口６から排出される余分水は、余り汚くないことが好適である。
【０１２２】
水生生物は、容器本体部２内部で様々な排出物を排出する。糞などもそうであるし、イカ１０などの場合には、墨や卵などを排出することがある。あるいは、身体の表面の粘膜などを排出することがある。
【０１２３】
このような排出物が、上述のように排出口６から余分水と一緒に排出されないほうが良い場合がある。あるいは、排出物が、いつまでも容器本体部２内部に滞留していることも好ましくない。
【０１２４】
水生生物用容器１は、供給水が次々と供給されながら、余分水が蓋３から漏出される。このため、容器本体部２の内部の水は蓋３に向けて入れ替わりながら、外部に漏出して入れ替わる。このため、蓋３が、これらの排出物を捕獲できれば、排出物が水に滞留し続けることを防止できる。
【０１２５】
蓋３は、これらの排出物を捕獲できるフィルター３１を備える。フィルター３１は、排泄物、粘膜、卵、墨、皮膚などの切片、鱗などの水生生物からの排出物を捕獲できる。この捕獲によって、容器本体部２の内部の水の綺麗さを維持でき易くなる。また、排出口６から漏出する余分水にも、排出物が混ざりすぎることを防止できる。
【０１２６】
（蓋のシーリング）
蓋３は、密閉を向上させる第１シーリングと第２シーリングを備えることも好適である。図６は、蓋の写真である。図６の写真に示されるように、蓋の内側にシーリングが設けられている。
【０１２７】
蓋の内側に２段階以上である第１シーリングと第２シーリングが設けられることで、蓋３と容器本体部との密閉度が高まる。ここで、第１シーリングは、容器本体部２内部の水を密閉する。第２シーリングは、容器本体部２と外部との接触部位を密閉する。更に、第３シーリングが設けられてもよい。
【０１２８】
このように２段階、あるいは２段階以上のシーリングが設けられることで、蓋３と容器本体部２との密閉度を高めることができる。
【０１２９】
（実施の形態３）
【０１３０】
次に実施の形態３について説明する。実施の形態３では、実施の形態１、２で説明した水生生物用容器１が輸送用に用いられる場合および閉循環路が形成される場合について説明する。
【０１３１】
実施の形態１、２で説明した水生生物用容器１は、輸送機器によって輸送可能である。
【０１３２】
図７は、本発明の実施の形態３における輸送状態にある水生生物用容器の模式図である。図７には、輸送機器２０が、水生生物用容器１を積載して輸送する状態が示されている。
【０１３３】
輸送機器２０は、例えば荷台のあるトラックである。輸送機器２０の荷台に水生生物用容器１が積載されている。併せて、浄化装置３０が積載されている。浄化装置３０と水生生物用容器１とは、閉循環路３１で接続されている。
【０１３４】
積載されている水生生物用容器１は、実施の形態１、２で説明した通りである。供給口５から供給水が供給されつつ、余分水が蓋３の排出口６から漏出される。この供給と漏出とが繰り返されることで、内部空間に空気層が形成されるのを抑制できる。
【０１３５】
この空気層発生の抑制により、輸送機器２０による輸送中であっても、水面が揺れたりせずに、水生生物へのストレスを防止できる。図２、図３などを用いて説明したように、吸引装置７や測定部８なども合わせて積載されれば、密閉維持やこれに合わせた空気層の形成防止が更に高まる。
【０１３６】
このように、空気層が形成されにくいことで、水生生物同士の衝突や内壁への衝突などが抑制される。更には、ストレスも低減できる。結果として、イカ１０のようなデリケートな水生生物であっても、新鮮さや健康状態を維持して、漁獲地などから消費地などへ輸送できる。
【０１３７】
特に、イカ１０は、温度変化、水質変化、水流変化、気圧変化、水の物理的態様の変化などの様々な変化に弱いとの特性がある。空気層が形成されないことで、このような特性に対応することができる。
【０１３８】
また、輸送機器２０は、浄化装置３０を合わせて積載し、水生生物用容器１と接続させたシステムを構築してもよい。浄化装置３０は、閉循環路３１で、水生生物用容器１と接続されている。浄化装置３０を介して、蓋３（排出口６）と、供給口５とが接続されており、この接続が、閉循環路３１となっている。
【０１３９】
図７においては、この閉循環路３１が示されている。
【０１４０】
閉循環路３１は、排出口６から漏出した余分水を浄化装置３０に送る。浄化装置３０は、送られた余分水を浄化する。浄化方法としては、公知の浄化技術がさまざまに使用されればよい。
【０１４１】
浄化装置３０で浄化された水は、再び空気や酸素を溶解させられて、供給水として、供給口５に送り出される。供給口５から供給水を容器本体部２に再び供給される。
【０１４２】
このような閉循環路３１によって、輸送中においても、新しい水（例えば海水など）を、外部から供給することを抑制できる。加えて、水生生物の生活に必要な酸素を含んだ水であって、品質上において問題のない水が連続的に供給される。加えて、上述の通り、容器本体部２内部では空気層が形成されにくい。
【０１４３】
これらの結果、新しい水を大量に供給する手間を低減しつつ、長期間の輸送によっても、水生生物の新鮮さや健康状態を維持して、輸送することができる。
【０１４４】
発明者は、実際に実施の形態１〜３に説明した水生生物用容器１を製作して、イカを入れた状態で輸送等を行った。従来技術ではイカが死んだり傷ついたりしていたのが、これらが大きく減少したことを確認できた。これは、空気層が生じにくく、イカがぶつかったりストレスを受けたりすることが大きく軽減されたたからである。
【０１４５】
また、イカの新鮮さや健康状態が維持されやすくなることで、同じ容積の水生生物用容器で同じ輸送時間であっても、より大量のイカを輸送することができることも確認した。
【０１４６】
これらの結果、デリケートで新鮮さや健康状態が損なわれやすいイカであっても、活き作りなどの生食に適した状態で、漁獲地から離れた消費地へ輸送できる。しかも、コストを抑えることもできる。結果として、漁獲地および消費地のいずれにとっても高いメリットをもたらすことができる。
【０１４７】
なお、実施の形態１〜３で説明された水生成物用容器は、本発明の趣旨を説明する一例であり、本発明の趣旨を逸脱しない範囲での変形や改造を含む。
【符号の説明】
【０１４８】
１    水生生物用容器
２    容器本体部
３    蓋
４    吸引口
５    供給口
６    排出口
７    吸引装置
８    測定部
９    漏出測定部
１０    イカ
２０    輸送機器
３０    浄化装置
３１    閉循環路
【図１】
2019140926.tif 000003
【図２】
2019140926.tif 000004
【図３】
2019140926.tif 000005
【図４】
2019140926.tif 000006
【図５】
2019140926.tif 000007
【図６】
2019140926.tif 000008
【図７】
2019140926.tif 000009